(57)【要約】      （修正有）【課題】廃坑を活用して、放射性廃棄物や放射能汚染物を埋蔵及び永久保管する廃棄物保管施設を提供する。【解決手段】坑道Ａ内は放射性物質の外部への漏出を防ぐために完全閉塞とし、そのための坑道内の補強改修は勿論、新たな構造の間仕切り防壁Ｈを設け、また廃棄物の放射能の濃度に応じた密閉容器Ｏを用いて保管する。さらに廃棄物の搬入のための運搬用トロッコＧを設けて利用する。【選択図】図１
2017198645.tif 000002
【特許請求の範囲】
【請求項１】
廃坑を活用し、放射性廃棄物や放射能汚染物を埋蔵及び永久保管する廃棄物処理手段とするため、坑道内の整備は、放射性物質の漏出を防ぐための完全な閉塞目的とする補強改修は勿論、坑道内には新たな構造の間仕切り防壁を用い、放射能の濃度に応じた埋蔵とするための埋蔵庫となる坑道内の状況に対応した自在な構造物を適宜数設けた放射性廃棄物処理手段である。
【請求項２】
放射性廃棄物処理手段であるため、坑道内の敷地面、天井壁、側壁等の補強改修の資材は早強セメント、ガラス粒子及び粉末、ステンレス粒子及び粉末、粘土や鉱物の粉末を主要資材とした混合物を、固形化及び粘体化させた物体を使用する放射性廃棄物処理手段である。又、放射性廃棄物の中間保存としての活用手段となる。
【請求項３】
坑道内の敷地面には運搬用トロッコを使用するため、坑道内の適宜位置にトロッコ用のレールを設置し、配電盤を基に運搬用トロッコを自動可動するための機器装置、自動制御機器装置、照明機器装置、通気のための送風機器装置、通気孔、自動カメラ機器装置、火災報知機器装置、緊急用拡声機器装置等々の付設を必要とする。
【請求項４】
坑道内の状況に対応した自在な間仕切り防壁の枠組みの資材はステンレスを使用した骨組みとし、この骨組みには格子状のステンレス網を取付け、坑道内の補強改修の資材として使用する早強セメント、ガラス粒子及び粉末、ステンレス粒子及び粉末、粘土や鉱物の粉末を主要資材とする混合物の粘体化させた物体を格子状のステンレス網に付着塗装した構造物とする間仕切り防壁である。
【請求項５】
完全閉塞を目的とした放射性廃棄物処理の埋蔵及び永久保管の最終手段として、廃坑の全ての出入口及び通気孔を密閉するための被せ蓋、及び閉塞用防壁とする構造物を用いて放射性物質の漏出を防ぐ放射性廃棄物処理手段である。
【請求項６】
通気孔の被せ蓋の枠組み資材は、ステンレス枠組みの構造物であり、間仕切り防壁及び閉塞用防壁の骨組み資材はステンレスの骨組みの構造物とし、これ等の骨組み内には格子状のステンレス網を取付け、坑道内の補強改修の資材として使用した早強セメント、ガラス粒子及び粉末、ステンレス粒子及び粉末、粘土や鉱物の粉末を主要素材とする混合物を粘体化させた物体を、格子状のステンレス網に付着塗装した構造物とする手段である。
【発明の詳細な説明】
【技術分野】
【０００１】廃坑の坑道内を閉塞目的とする補強改修は勿論、放射性廃棄物や放射能汚染物の放射能の濃度に応じた埋蔵及び保管をするための新たな構造物とする間仕切り防壁を適宜箇所に設ける廃棄物処理である。
【背景技術】
【０００２】坑道内の敷地面、天井壁、側壁等の整備に必要な補強改修の資材は、早強セメント、ガラス粒子及び粉末、ステンレス粒子及び粉末、粘土や鉱物等を用い、固形化及び粘体化させた混合物を補強改修部分に付着塗裝にて使用する。
【発明の開示】
【発明を解決しようとする課題】
【０００３】放射性物質を地上や地下水に漏出の無いように閉塞状態にし、廃坑道の活用とする手段が課題である。
【課題を解決するための手段】
【０００４】放射性廃棄物や放射能汚染物の埋蔵及び保管の手段は、密閉可能な容器に放射性廃棄物や放射能汚染物を詰め込み、これ等の容器を坑道内に設けた運搬用トロッコに載せ、坑道内に搬入し埋蔵保管する処理手段である。
【０００５】埋蔵保管状況で隙間が出来るため、これ等の隙間には必要に応じて、早強セメント、ガラス粒子及び粉末、ステンレス粒子及び粉末、粘土や鉱物等を混合して固形化及び粘体化させたものを詰め入れ密閉状態にする。
【０００６】放射性廃棄物及び放射能汚染物の放射能の濃度に応じた埋蔵庫とするため、間仕切り防壁を設けながら埋蔵保管することで、より完全な閉塞状態での埋蔵保管手段となる。
【０００７】坑道内への埋蔵及び保管の終了直後に、通気孔及び坑道出入口の各々に、完全密閉のための通気孔への被せ蓋及び坑道出入口には閉塞用防壁を設けることにより、廃棄物処理手段の完了となる。
【発明の効果】
【０００８】穴掘りの費用が低コストになる。
【０００９】廃坑道の物質構成から、粘土や鉱物、鉱石であるため、又、早強セメント、ガラス及びステンレス等の粒子や粉末を固形化又は粘体化した物体は、放射性物質に耐性がある物質であるため埋蔵保管に適している。
【００１０】坑道の再利用のため、閉塞目的とする工事である補強改修の期間も短縮できる。
【図面の簡単な説明】
【００１１】
【図１】  坑道内の立体断面図
【図２】  坑道内の敷地平面図
【図３】  坑道内の出入口部分断面図
【発明を実施するための最良の形態】
【００１２】坑道内（Ａ）の側壁（Ｂ）、天井壁（Ｃ）、敷地面（Ｐ）の損傷部分は補強改修を必要とする。【００１３】坑道内の補強改修の整備資材には、早強セメント、ガラス粒子及び粉末、ステンレス粒子及び粉末、粘土や鉱物の粉末を主要資材として、固形化及び粘体化させた混合物（イ）を適宜箇所、且つ、目的に対応して使用する。【００１４】坑道内の敷地面には、補強改修の整備に使用する混合物（イ）を敷き積み、この表面に運搬用トロッコ（Ｇ）を走らせるためのレール（Ｄ）の下部面に枕木（Ｅ）を適宜間隔で設置し、レール（Ｄ）と枕木（Ｅ）を固定用金具（Ｆ）にて定着固定する。【００１５】次に、放射性廃棄物（ａ）や放射能汚染物（ｂ）の放射能濃度に応じた埋蔵とするために、濃度に応じて密閉容器（Ｏ）を用い、且つ、間仕切り防壁（Ｈ）を設けることで、より完全な閉塞目的のための手段として埋蔵保管でき、坑道内（Ａ）での作業に於いてもスムーズに進行させる目的にも繋がる状況となる。【００１６】埋蔵保管する放射性廃棄物（ａ）や放射能汚染物（ｂ）の全ては、運搬用トロッコ（Ｇ）に載せて坑道内（Ａ）に運び込み埋蔵保管することによる作業工程の短縮化を高める状況となる。【００１７】坑道内の出入口に設置した配電盤（ロ）を基に、運搬用トロッコを自動可動するための機器装置（ハ）等、坑道内の全ての機器は自動可動とするため、これ等の自動可動の制御のための自動制御機器装置（ニ）をも、配電盤近くに設置し、次に坑道内の適宜箇所位置に、照明機器装置（ホ）、通気のための送風機器装置（ヘ）、自動カメラ機器装置（チ）、火災報知機器装置（リ）、緊急用拡声機器装置（ヌ）等々を付設する。【００１８】通気のための送風機器との関連装置となり、外気を送り込む通気孔（ト）を適宜付設し、坑道内への埋蔵及び保管終了後は、通気孔の被せ蓋（Ｎ）をして密閉する。【００１９】間仕切り防壁（Ｈ）の構造物は、閉塞目的のため、坑道内の状況に応じた形状を重視した構造でのステンレス骨組み（Ｉ）であり、骨組み内に取付けた格子状ステンレス網（Ｋ）に坑道内の補強改修の整備に使用する混合物（イ）を粘体化し、付着塗装した構造物である。【００２０】通気孔（ト）の装備に用いる資材の全ては、合成塩ビ及びステンレス枠組み（Ｊ）であり、枠組み内に設けた格子状のステンレス網（Ｋ）に坑道内の補強改修の整備に使用する混合物（イ）を粘体化し、付着塗装した構造物である。【００２１】間仕切り防壁及び閉塞用防壁（Ｍ）、通気孔は勿論、坑道内の配電盤や全ての電気及び電化機器装置の設置用固定金具（Ｌ）はステンレス材を用いる。
【符号の説明】
【００２２】（Ａ）坑道内
（Ｂ）側壁
（Ｃ）天井壁
（Ｄ）レール
（Ｅ）枕木
（Ｆ）レール固定用金具
（Ｇ）運搬用トロッコ
（Ｈ）間仕切り防壁
（Ｉ）ステンレス骨組み
（Ｊ）ステンレス枠組み
（Ｋ）格子状のステンレス綱
（Ｌ）設置用固定金具
（Ｍ）閉塞用防壁
（Ｎ）通気孔の被せ蓋
（Ｏ）密閉容器
（Ｐ）敷地面
（ａ）放射性廃棄物
（ｂ）放射能汚染物
（イ）補強改修の整備に使用する混合物
（ロ）配電盤
（ハ）運搬用トロッコを自動可動するための機器装置
（ニ）自動制御機器装置
（ホ）照明機器装置
（ヘ）通気のための送風機器装置
（ト）通気孔
（チ）自動カメラ機器装置
（リ）火災報知機器装置
（ヌ）緊急用拡声機器装置
【図１】
2017198645.tif 000003
【図２】
2017198645.tif 000004
【図３】
2017198645.tif 000005